(57)【要約】【課題】構造を簡素化した構造であっても、作業員が乗りかご上から転落するのを防止するエレベータの乗りかご上の安全柵を提供する。【解決手段】エレベータの乗りかご上の安全柵であって、エレベータの乗りかごの最上部に、起立状態と折り畳み状態との間を変位可能に支持され、互いに内側へ折り畳んだ際に干渉しない位置に離して配置される一対の柵基部と、これら一対の柵基部の上端部に配設される第１の枠体部と、この第１の枠体部に取り付けられ、エレベータの乗場口に向かう方向に延出可能な拡張部と、を備える。【選択図】図１
2012041167.tif 000002
【特許請求の範囲】
【請求項１】
エレベータの乗りかごの最上部に、起立状態と折り畳み状態との間を変位可能に支持され、互いに内側へ折り畳んだ際に干渉しない位置に離して配置される一対の柵基部と、
前記一対の柵基部の上端部に配設される第１の枠体部と、
この第１の枠体部に取り付けられ、エレベータの乗場口に向かう方向に延出可能な拡張部と、
を備えるエレベータの乗りかご上の安全柵。
【請求項２】
前記乗りかごの最上部は、前記乗りかごを保持している乗りかご枠の上梁である請求項１に記載のエレベータの乗りかご上の安全柵。
【請求項３】
前記乗りかごの最上部は、前記乗りかごの天井である請求項１に記載のエレベータの乗りかご上の安全柵。
【請求項４】
前記乗りかごの最上部は、前記乗りかごの立枠である請求項１に記載のエレベータの乗りかご上の安全柵。
【請求項５】
前記乗りかごの最上部は、前記乗りかごのサイドブレスである請求項１に記載のエレベータの乗りかご上の安全柵。
【請求項６】
前記柵基部の略中間部に配設される第２の枠体部を有する請求項１乃至請求項５のいずれか１項に記載のエレベータの乗りかご上の安全柵。
【請求項７】
前記拡張部は、前記第１の枠体部から延出した状態を維持するロック機構を有する請求項１乃至請求項６のいずれか１項に記載のエレベータの乗りかご上の安全柵。
【発明の詳細な説明】
【技術分野】
【０００１】
本発明の実施形態は、エレベータの 乗りかご上の安全柵に関する。
【背景技術】
【０００２】
近年のエレベータは、マシンルームレスエレベータが主流となっている。マシンルームレスエレベータは、昇降路の高さを抑えることができることから、保守作業員が使用する乗りかご上の安全柵は折りたたみ式となっている。
【０００３】
折りたたみ式の手摺は、構造が複雑になりやすいため、コスト高となる傾向にある。そこで、手摺の構造を簡素化する場合がある。
【先行技術文献】
【特許文献】
【０００４】
【特許文献１】特開２００８−３０８２６９号公報
【特許文献２】特開２００９−２０８９１７号公報
【発明の概要】
【発明が解決しようとする課題】
【０００５】
本発明が解決しようとする課題は、構造を簡素化した構造であっても、作業員が乗りかご上から転落するのを防止するエレベータの乗りかご上の安全柵を提供することにある。
【課題を解決するための手段】
【０００６】
上記の課題を解決するために、エレベータの乗りかごの最上部に、起立状態と折り畳み状態との間を変位可能に支持され、互いに内側へ折り畳んだ際に干渉しない位置に離して配置される一対の柵基部と、前記一対の柵基部の上端部に配設される第１の枠体部と、この第１の枠体部に取り付けられ、エレベータの乗場口に向かう方向に延出可能な拡張部と、を備える。
【図面の簡単な説明】
【０００７】
【図１】実施形態に係るエレベータの乗りかご上の安全柵の側面図である。
【図２】実施形態に係るエレベータの乗りかご上の安全柵の上面図である。
【図３】拡張部の拡大図である。
【図４】拡張部のロック機構を説明する図である。
【発明を実施するための形態】
【０００８】
以下、本発明の一実施の形態について、図面を参照して説明する。尚、各図において同一箇所については同一の符号を付し、重複した説明は省略する。
【０００９】
図１は、本実施形態に係るエレベータの乗りかご上の安全柵の側面図である。図２は、実施形態に係るエレベータの乗りかご上の安全柵の上面図である。
【００１０】
図１に示すように、乗りかご室２，乗りかご枠３を備えたエレベータにおいて、乗りかご上の安全柵１は、乗りかご枠３の最上部である上梁３１の上に配置されている。
【００１１】
すなわち、乗りかご室２の上面には、冷房装置本体など各種の設備が搭載されている。これら各種の設備の最上部は、乗りかご枠３の上梁３１よりも低く設定されている。したがって、上梁３１の上に安全柵１を設けることは、これらの設備に干渉されることがないため設置し易く、また作業者がこれらの設備の上に乗って作業をする場合に安全を確保するうえでも有効である。
【００１２】
本実施形態においては、上梁３１の上に配置される安全柵１は、折りたたみ式に構成されている。折りたたみ式にすることにより、安全柵１の設置スペースを出来る限り、節約することができる。
【００１３】
安全柵１は、上梁３１上に固定された取付部４と、取付部４に立設して取り付けた柵基部５と、柵基部５の略中間部に取り付けた下枠体部６と、柵基部５の上端部に取り付けた上枠体部７と、上枠体部７に取り付けた拡張部８とを備える。
【００１４】
取付部４は、例えば耐久性を有する金属材料で製作するのが好適である。取付部４は、かご枠３の上梁３１の長手方向に対して向かって配置され、例えば溶接やボルトナット締めなどの固定手段により、上梁３１の上面に固定されている。
【００１５】
図１に示すように、取付部４の長手方向の両端には、この長手方向に対して直角をなす方向（乗りかご枠３と平行）に、一対の柵基部５が設けられている。
【００１６】
柵基部５は、図１に示すように、略矩形状の枠部材である。この柵基部５の略中間部には、一対の柵基部５を連結するように、一対の下枠体部６が取り付けられている。さらに、柵基部５の上端部には、一対の柵基部５を連結するように、一対の上枠体部７が取り付けられている。上枠体部７は、例えば、枠状の手摺りとすることができる。
【００１７】
なお、図示しないが、柵基部５が起立した状態を保持すると共に、柵基部５が折り畳まれた状態を保持することが可能なロック機構が設けられている。
【００１８】
本実施形態では、上梁３１の長さ方向に所定間隔を隔てて一対の取付部４が配設されているが、この間隔は、柵基部５を互いに向き合う方向に倒したときに互いに柵基部５同士が重なり合わないように設定されている。すなわち、一対の柵基部５は、起立状態と折り畳み状態との間を変位可能に支持され、互いに内側へ折り畳んだ際に干渉しない位置に離して配置されている。なお、柵基部５の高さ寸法は、昇降路内のスペースを考慮して設定することが可能である。
【００１９】
上枠体部７と下枠体部６は、エレベータの乗りかご上の安全柵において、作業員の作業領域を画するように囲繞して、作業員の安全を確保する役割をもつ。したがって、これらの部材は、軽量ながら強度のある金属製であることが好適である。
【００２０】
拡張部８は、図１、図２に示すように、エレベータの乗りかご上の安全柵を、前方向（昇降路内において、乗りかご内から乗場口に向かう方向）に拡張するものである。乗場口の上方に配置されている機械部品等の点検を行う場合に、上枠体部７と下枠体部６とで画される領域から、更に前方向（乗りかご内から乗場口に向かう方向）に移動しないと、的確な作業がし難い。
【００２１】
そこで、本実施形態においては、乗場口に向かう方向に延出可能な拡張部８を備えることにより、作業者による安全柵１での作業環境をより安全にする。拡張部８は、上枠体部７に取り付けられ、一対で成る。例えば、一対の上枠体部７の枠内に収納され得る大きさのパネル形状とすることが好適である。なお、拡張部６はパネル形状に限られるものではなく、上枠体部７と同様に枠状の手摺りであっても勿論よい。
【００２２】
図２に示すように、拡張部８は、上枠体部７に設けられた回転部７Ａを軸にして回動可能であり、上枠体部７の内部へ収納可能である。拡張部６は、上枠体部７の枠内に収納できるため、図１に示すように、起立状態から柵基部５同士を互いに内側へ倒すことにより、柵基部５同士が重なり合うことなく上梁３１上に平坦に折り畳むことができる。
【００２３】
図３は、拡張部の拡大図である。図３に示すように、拡張部８が上枠体部７から前方向に延出した状態の保持および解除が行えるロック機構７Ｂが設けられている。
【００２４】
図４は、拡張部のロック機構を説明する図である。図４に示すように、軸７Ａを中心にして拡張部８を回転させた後、拡張部８を後方（乗場口とは反対の方向）に押し込み、上枠体部７に形成したカギ穴部７Ｂで押さえて係止し、ロックさせる。これにより、拡張部８に何らかの外力が作用しても、不用意に拡張部８が折りたたまれるのを防ぐ。
【００２５】
本実施形態に係る安全柵１では、上述したように、上梁３１上に安全柵１の高さを十分に確保できるため、点検時などに作業者がかご上の冷房装置本体７などの上に乗って作業する場合に、高い位置にいる作業者が掴まって安全を確保することができる。また、拡張部８を柵基部５内に収納した状態で折り畳むことができるため、上梁３１と昇降路の天井部との隙間を大きく確保する必要がなく、昇降路を上下に長くする必要がなくなる。したがって、本実施形態のエレベータの乗りかご上の安全柵１を用いれば、昇降路内の上部に駆動系を配置する所謂マシンルームレスタイプのエレベータは勿論のこと昇降路の上方に機械室を設けるエレベータにおいても省スペース化の点で有利となる。
【００２６】
本実施形態においては、安全柵１は上梁３１の上に配置されているが、これに限られない。すなわち、安全柵１は、乗りかごの天井や、乗りかごの立枠あるいは乗りかごのサイドブレスなどに取付られていてもよい。
【００２７】
本実施形態によれば、乗りかご上に点検ボックス等の各種の設備が設置されていても、作業者が安全に点検作業等を行える領域を確保できる。また、安全柵の全体が折り畳み式なので、乗りかごと昇降路の天井部との隙間を大きくすることがない。
【００２８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２９】
１：安全柵
２：乗りかご室
３：乗りかご枠
４：取付部
５：柵基部
６：下枠体部
７：上枠体部
８：拡張部
【図１】
2012041167.tif 000003
【図２】
2012041167.tif 000004
【図３】
2012041167.tif 000005
【図４】
2012041167.tif 000006